(57)【要約】【課題】食品由来の油汚れに対する高洗浄力を有する衣料用洗剤組成物を提供する。【解決手段】（ａ）ポリオキシエチレンアルキルエーテル硫酸エステル又はその塩、（ｂ）スルホン酸系陰イオン界面活性剤、（ｃ）スルホベタイン、アミドベタイン及びカルボベタインからなる群から選ばれる１種以上の両性界面活性剤を所定条件で含有する衣料用洗剤組成物であり、当該洗剤組成物１ｇを２０℃の水１Ｌに溶解したときのｐＨが３以上、６．８未満である、衣料用洗剤組成物。【選択図】なし【特許請求の範囲】
【請求項１】
（ａ）成分：ポリオキシエチレンアルキルエーテル硫酸エステル又はその塩
（ｂ）成分：スルホン酸系陰イオン界面活性剤
（ｃ）成分：スルホベタイン、アミドベタイン及びカルボベタインからなる群から選ばれる１種以上の両性界面活性剤
を含有する衣料用洗剤組成物であって、
（ａ）成分、（ｂ）成分及び（ｃ）成分の含有量の合計が０．１質量％以上、５０質量％以下であり、
（ｂ）成分／（ａ）成分の質量比が０／１０以上、７／３以下であり、
当該洗剤組成物１ｇを２０℃の水１Ｌに溶解したときのｐＨが３以上、６．８未満である、
衣料用洗剤組成物。
【請求項２】
［（ａ）成分＋（ｂ）成分］／（ｃ）成分の質量比が、６０／４０以上、９０／１０以下である、請求項１に記載の衣料用洗剤組成物。
【請求項３】
（ａ）成分が、炭素数１０以上、２０以下のアルキル基を有し、エチレンオキシ基の平均付加モル数が０超、５以下のポリオキシエチレンアルキルエーテル硫酸エステル又はその塩である、請求項１又は２に記載の衣料用洗剤組成物。
【請求項４】
（ｂ）成分が、炭素数が１０以上、２０以下のアルキル基を有するアルキルベンゼンスルホン酸又はその塩、炭素数１０以上、２０以下のアルケニル基を有するα−オレフィンスルホン酸又はその塩、炭素数１０以上、２０以下のアルキル基を有するアルカンスルホン酸又はその塩、炭素数１０以上、２０以下のアルキル基を有するα−スルホ脂肪酸メチルエステル又はその塩からなる群から選ばれる１種以上の陰イオン界面活性剤である、請求項１〜３の何れか１項に記載の衣料用洗剤組成物。
【請求項５】
（ｂ）成分／（ａ）成分の質量比が、０／１０以上、６／４以下である、請求項１〜４の何れか１項に記載の衣料用洗剤組成物。
【請求項６】
（ｃ）成分が、炭素数８以上、１８以下のアルキル基を有するスルホベタイン及び炭素数８以上、１８以下のアルキル基を有するカルボベタインからなる群から選ばれる１種以上の両性界面活性剤である、請求項１〜５の何れか１項に記載の衣料用洗剤組成物。
【請求項７】
更に、（ｄ）成分として、アルキル基の炭素数が１０以上、２０以下であり、エチレンオキシ基の平均付加モル数が２以上、４０以下であるポリオキシアルキレンアルキルエーテルを含有する、請求項１〜６の何れか１項に記載の衣料用洗剤組成物。
【請求項８】
界面活性剤の全量中、（ａ）成分及び（ｂ）成分の含有量の合計が、５０質量％以上、９０質量％以下である、請求項１〜７の何れか１項に記載の衣料用洗剤組成物。
【発明の詳細な説明】
【技術分野】
【０００１】
本発明は、衣料用洗剤組成物に関する。
【背景技術】
【０００２】
衣料用洗剤組成物では、洗浄液のｐＨをアルカリ性にすることで脂肪酸の自己乳化によって洗浄力が向上するため、一般的にアルカリ成分が配合されている。
【０００３】
特許文献１には、特定の両性化合物、特定のポリエーテル化合物や非石鹸系陰イオン界面活性剤などを含有する液体アルカリ洗浄剤組成物が、衣料等の洗濯において、優れた洗浄力を有し、起泡性と濯ぎ性の両方に優れていることが開示されている。
【０００４】
近年では、アジア地域の洗濯機の普及が増加する傾向があるが、洗浄力や経済性の観点などから、手洗い洗濯が依然として広く行われている。手洗い洗濯は、洗濯機による洗濯と比較した場合、汚れの落ち具合、洗濯ものの種類など、状況に応じたきめ細かい洗浄が可能となる。
【０００５】
しかし、洗濯をする者にとって、手洗い洗濯は肉体的、精神的疲労感が伴いやすく、また、アルカリ成分などによる手肌への影響も考慮すべき事項である。そのため、衣料用洗剤に関しても、食品由来の油汚れやエリ汚れなどの汚れに対する高洗浄力を有することはもちろん、マイルド成分を使用した商品や化学成分を低減した商品も求められている。
【０００６】
特許文献２には、洗濯洗剤、特に、標準的洗濯機の洗浄水内で６前後のｐＨを提供することができる重質液体洗濯洗剤が、布地上の黒ずみを生じる付着物を分解すること、改良されたグリース洗浄及びお茶やワインなどの漂白可能な汚れの洗浄のために有用であり得ることが開示されている。
【先行技術文献】
【特許文献】
【０００７】
【特許文献１】特開２０１１−２１３９９３号公報
【特許文献２】特表２００８−５１９１４８号公報
【発明の概要】
【発明が解決しようとする課題】
【０００８】
特許文献２の洗剤組成物では、有用な好適なアニオン性界面活性剤として、アルキルベンゼンスルホン酸類及びそれらの塩類が用いられ、さらに非イオン性界面活性剤が併用されている。しかし、このような洗剤組成物は、アジア地域で課題とされている食品由来の油汚れに対する洗浄力が低く、洗浄性能の点において改善の余地があった。ここで、食品由来の油汚れとしては、色素を含む大豆油、菜種油、ゴマ油などの食用油が挙げられる。
【０００９】
本発明の課題は、油汚れ、なかでも食品由来の油汚れに対する高洗浄力を有する衣料用洗剤組成物を提供することである。
【課題を解決するための手段】
【００１０】
本発明は、
（ａ）成分：ポリオキシエチレンアルキルエーテル硫酸エステル又はその塩
（ｂ）成分：スルホン酸系陰イオン界面活性剤
（ｃ）成分：スルホベタイン、アミドベタイン及びカルボベタインからなる群から選ばれる１種以上の両性界面活性剤
を含有する衣料用洗剤組成物であって、
（ａ）成分、（ｂ）成分及び（ｃ）成分の含有量の合計が０．１質量％以上、５０質量％以下であり、
（ｂ）成分／（ａ）成分の質量比が０／１０以上、７／３以下であり、
当該洗剤組成物１ｇを２０℃の水１Ｌに溶解したときのｐＨが３以上、６．８未満である、
衣料用洗剤組成物。
【発明の効果】
【００１１】
本発明によれば、衣料の洗濯において、洗浄水のｐＨを弱酸性にすることで、食品由来の油汚れに対して高い洗浄力を有する洗浄剤組成物が提供される。
【発明を実施するための形態】
【００１２】
本発明の衣料用洗剤組成物は、（ａ）成分、（ｂ）成分及び（ｃ）成分に加えて、後述する組成物の洗浄ｐＨの条件が重要である。
【００１３】
＜（ａ）成分＞
本発明の（ａ）成分としては、特に限定されるものではないが、例えば、炭素数１０以上、好ましくは１２以上であり、そして、２０以下、好ましくは１６以下、より好ましくは１４以下のアルキル基を有し、エチレンオキシ基の平均付加モル数が０超、好ましくは０．５以上、好ましくは１以上、より好ましくは１．５以上であり、そして、５以下、好ましくは４以下、より好ましくは３以下のポリオキシエチレンアルキルエーテル硫酸エステル又はその塩が挙げられる。塩としてはアルカリ金属塩が好ましく、よりナトリウム塩又はカリウム塩が好ましく、よりナトリウム塩が好ましい。
【００１４】
＜（ｂ）成分＞
本発明の（ｂ）成分としては、特に限定されるものではないが、例えば、炭素数が１０以上、２０以下のアルキル基を有するアルキルベンゼンスルホン酸又はその塩、炭素数１０以上、２０以下のアルケニル基を有するα−オレフィンスルホン酸又はその塩、炭素数１０以上、好ましくは１２以上であり、そして２０以下、好ましくは１４以下のアルキル基を有するアルカンスルホン酸又はその塩、好ましくは２級アルカンスルホン酸又はその塩、炭素数１０以上、２０以下のアルキル基を有するα−スルホ脂肪酸メチルエステル又はその塩等が好ましく挙げられる。
【００１５】
塩としては、ナトリウム塩、カリウム塩等のアルカリ金属塩、モノエタノールアミン塩、ジエタノールアミン塩等のアルカノールアミン塩などが挙げられる。
【００１６】
（ｂ）成分は、油汚れ洗浄性能の理由から、アルキル基の炭素数が１０以上、好ましくは１２以上であり、そして、２０以下、好ましくは１６以下、より好ましくは１４以下である直鎖アルキルベンゼンスルホン酸又はその塩から選ばれる陰イオン界面活性剤がより好ましい。
【００１７】
本発明の衣料用洗剤組成物は、油汚れ洗浄性能の観点から、（ｂ）成分／（ａ）成分の質量比が０／１０以上、好ましくは１／９以上であり、そして７／３以下、好ましくは６／４以下、より好ましくは５／５以下、より好ましくは４／６以下、より好ましくは３／７以下、より好ましくは２／８以下である。
【００１８】
＜（ｃ）成分＞
本発明の（ｃ）成分は、油汚れに対する洗浄性能および濯ぎ性能の理由から、スルホベタイン、アミドベタイン及びカルボベタインからなる群から選ばれる１種以上の両性界面活性剤である。本発明の（ｃ）成分としては、特に限定されるものではないが、例えば、炭素数８以上、１８以下のアルキル基を有するスルホベタイン、炭素数８以上、１８以下のアルキル基を有するアミドベタイン、炭素数８以上、１８以下のアルキル基を有するカルボベタイン等が挙げられる。好ましくは炭素数８以上、１８以下のアルキル基を有するスルホベタイン及び炭素数８以上、１８以下のアルキル基を有するカルボベタインからなる群から選ばれる１種以上の両性界面活性剤である。
【００１９】
具体的には、脂肪酸アミドプロピルベタイン、アルキルジメチルアミノ酢酸ベタイン、アルキルヒドロキシスルホベタイン等が挙げられる。これらのうち、脂肪酸アミドプロピルベタイン、アルキルジメチルアミノ酢酸ベタインが好ましく、脂肪酸部分の炭素数が１０以上、１５以下である脂肪酸アミドプロピルベタイン、及び炭素数１０以上、１５以下のアルキル基を有するアルキルジメチルアミノ酢酸ベタインからなる群から選ばれる１種以上の両性界面活性剤がより好ましく、炭素数１０以上、１５以下のアルキル基を有するアルキルジメチルアミノ酢酸ベタインから選ばれる両性界面活性剤がより好ましく、ラウリルジメチルアミノ酢酸ベタインがより好ましい。
【００２０】
本発明の衣料用洗剤組成物は、洗浄性能の観点から、［（ａ）成分＋（ｂ）成分］／（ｃ）成分の質量比が、好ましくは２０／８０以上、より好ましくは５０／５０以上、より好ましくは６０／４０以上、より好ましくは７０／３０以上であり、そして、好ましくは９０／１０以下、好ましくは８５／１５以下、より好ましくは８０／２０以下である。
【００２１】
更に、本発明の洗浄剤組成物においては、本発明の効果を損なわない範囲内であれば、（ｄ）成分として、非イオン界面活性剤を含有しても良い。
【００２２】
具体的には、（ｄ）非イオン界面活性剤として、蔗糖脂肪酸エステル、グリセリン脂肪酸エステル、ソルビタン脂肪酸エステル、ポリオキシアルキレンソルビタン脂肪酸エステル、ポリオキシアルキレン脂肪酸エステル、脂肪酸アルカノールアミド又はそのアルキレンオキシド付加物、ポリオキシアルキレンアルキルエーテル、アルキルグリコシド、ポリオキシアルキレンアルキルフェニルエーテル、ポリオキシアルキレンアルキルエーテル、グリセリルモノエーテル等が挙げられる。（ｄ）成分としては、アルキル基の炭素数が１０以上、２０以下であり、エチレンオキシ基の平均付加モル数が２以上、４０以下であるポリオキシアルキレンアルキルエーテルが好ましい。
【００２３】
本発明の組成物中、洗浄性能の観点から、（ａ）成分、（ｂ）成分及び（ｃ）成分の含有量の合計は０．１質量％以上、好ましくは３質量％以上、より好ましくは５質量％以上、より好ましくは１０質量％以上であり、そして、５０質量％以下、好ましくは４０質量％以下、より好ましくは３０質量％以下、より好ましくは２０質量％以下である。
【００２４】
また、本発明の組成物中、洗浄性能の観点から、（ａ）成分、（ｂ）成分、（ｃ）成分及び（ｄ）成分の含有量の合計は０．１５量％以上、好ましくは３．５質量％以上、より好ましくは７質量％以上、より好ましくは１２質量％以上であり、そして、５５質量％以下、好ましくは４５質量％以下、より好ましくは３５質量％以下、より好ましくは２５質量％以下である。
【００２５】
本発明の衣料用洗剤組成物では、油汚れに対する洗浄性能の観点から、界面活性剤の全量中、（ａ）成分及び（ｂ）成分の含有量の合計は、好ましくは２０質量％以上、より好ましくは５０質量％以上、より好ましくは７０質量％以上であり、そして、好ましくは９０質量％以下、好ましくは８５質量％以下、より好ましくは８０質量％以下である。
【００２６】
また、本発明の衣料用洗剤組成物では、油汚れに対する洗浄性能の観点から、界面活性剤の全量中、陰イオン界面活性剤の含有量は、好ましくは２０質量％以上、より好ましくは５０質量％以上、より好ましくは７０質量％以上であり、そして、好ましくは９０質量％以下、好ましくは８５質量％以下、より好ましくは８０質量％以下である。陰イオン界面活性剤の全量中、（ａ）成分及び（ｂ）成分の含有量の合計が１００質量％であってもよい。
【００２７】
本発明の衣料洗浄剤組成物は、当該洗剤組成物１ｇを水温２０℃の水１Ｌに溶解したときのｐＨが３以上、６．８未満である。油汚れに対する洗浄性能の観点から、このｐＨは、好ましくは６．５以下、より好ましくは６．０以下、より好ましくは５．５以下、より好ましくは５．０以下である。一方、このｐＨは、好ましくは３.５以上、より好ましくは４．０以上である。
【００２８】
本発明の衣料用洗剤組成物の形態は問わないが、水を含有する液体組成物であることが好ましい。その場合、組成物自体の２０℃のｐＨは１．０以上、更に１．５以上、そして３．０以下、更に２．５以下が好ましい。但し、当該洗剤組成物１ｇを水温２０℃の水１Ｌに溶解したときのｐＨは上記の範囲内である。
【００２９】
希釈液や液体組成物の原液を前記のｐＨとするために、本発明の衣料用洗浄剤組成物は、ｐＨ調整剤を配合することが好ましい。ｐＨ調整剤としては、無機酸及び有機酸からなる群から選ばれる１種以上の酸が挙げられ、塩酸、硫酸、リン酸等の無機酸、多価カルボン酸類、ヒドロキシカルボン酸類等の有機酸が挙げられる。
【００３０】
本発明の洗剤組成物は衣料用である。衣料には、寝具、タオル等の衣料以外の繊維製品を含む。
【００３１】
＜洗浄方法＞
本発明の衣料用洗剤組成物を用いた洗浄方法として、本発明の衣料用洗剤組成物と水とを混合して得たｐＨ３以上、好ましくは３.５以上、より好ましくは４．０以上、そして、６．８未満、好ましくは６．５以下、より好ましくは６．０以下、より好ましくは５．５以下、より好ましくは５．０以下の洗浄水を用いて、食品由来の油汚れが付着した衣料を洗浄する、衣料の洗浄方法が挙げられる。食品由来の油汚れは、色素を含むものが挙げられる。
【００３２】
本発明の洗浄方法は、洗浄後の衣料を水で濯ぐ工程を有することができる。
【００３３】
洗浄水の調製に用いる水及び／又はすすぎに用いる水のｐＨは７．０の近傍が好ましい。例えば、ｐＨ６．０以上、好ましくは６．５以上であり、そして、８．０以下、好ましくは７．５以下の水を用いることができる。
【００３４】
また、本発明の洗剤組成物は、洗浄水の調製に用いる水及び／又はすすぎに用いる水の硬度が１°ｄＨ以上、更に２°ｄＨ以上、更に３°ｄＨ以上、更に５°ｄＨ以上、更に１０°ｄＨ以上であっても使用できる。一方、本発明の洗剤組成物は、洗浄力とすすぎ性の観点から、当該水の硬度が５０°ｄＨ以下、更に４０°ｄＨ以下、更に３０°ｄＨ以下、更に２５°ｄＨ以下、更に２０°ｄＨ以下が好ましい。
【００３５】
本発明の洗剤組成物は、家庭での洗濯機洗い及び手洗いに好ましく用いられる。洗浄性能及び手肌への優しさの観点から、手洗い洗濯用として好適であり、衣料、布帛、寝具、タオル等の繊維製品の手洗い洗濯用として好適である。
【００３６】
本発明のより具体的な態様を以下に例示する。
＜１＞
（ａ）成分：ポリオキシエチレンアルキルエーテル硫酸エステル又はその塩
（ｂ）成分：スルホン酸系陰イオン界面活性剤
（ｃ）成分：スルホベタイン、アミドベタイン及びカルボベタインからなる群から選ばれる１種以上の両性界面活性剤
を含有する衣料用洗剤組成物であって、
（ａ）成分、（ｂ）成分及び（ｃ）成分の含有量の合計が０．１質量％以上、５０質量％以下であり、
（ｂ）成分／（ａ）成分の質量比が０／１０以上、７／３以下であり、
当該洗剤組成物１ｇを２０℃の水１Ｌに溶解したときのｐＨが３以上、６．８未満である、
衣料用洗剤組成物。
【００３７】
＜２＞
（ｂ）成分／（ａ）成分の質量比が０／１０以上、好ましくは１／９以上であり、そして、６／４以下、好ましくは５／５以下、より好ましくは４／６以下、より好ましくは３／７以下、２／８以下である、前記＜１＞に記載の衣料用洗剤組成物。
【００３８】
＜３＞
［（ａ）成分＋（ｂ）成分］／（ｃ）成分の質量比が、２０／８０以上、好ましくは５０／５０以上、より好ましくは６０／４０以上、より好ましくは７０／３０以上であり、そして、９０／１０以下、好ましくは８５／１５以下、より好ましくは８０／２０以下である、前記＜１＞又は＜２＞に記載の衣料用洗剤組成物。
【００３９】
＜４＞
界面活性剤の全量中、陰イオン界面活性剤の含有量は、２０質量％以上、好ましくは５０質量％以上、より好ましくは７０質量％以上であり、そして、９０質量％以下、好ましくは８５質量％以下、より好ましくは８０質量％以下である、前記＜１＞〜＜３＞の何れかに記載の衣料用洗剤組成物。
【００４０】
＜５＞
界面活性剤の全量中、（ａ）成分及び（ｂ）成分の含有量の合計が、２０質量％以上、好ましくは５０質量％以上、より好ましくは７０質量％以上であり、そして、９０質量％以下、好ましくは８５質量％以下、より好ましくは８０質量％以下である、前記＜１＞〜＜４＞の何れかに記載の衣料用洗剤組成物。
【００４１】
＜６＞
当該洗剤組成物１ｇを水温２０℃の水１Ｌに溶解したときのｐＨが、３.５以上、好ましくは４．０以上であり、そして、６．５以下、好ましくは６．０以下、より好ましくは５．５以下、より好ましくは５．０以下である、前記＜１＞〜＜５＞の何れかに記載の衣料用洗剤組成物。
【００４２】
＜７＞
（ａ）成分が、炭素数１０以上であり、そして２０以下、好ましくは１６以下のアルキル基を有し、エチレンオキシ基の平均付加モル数が０超、好ましくは１以上、より好ましくは１．５以上であり、そして、５以下、好ましくは４以下、より好ましくは３以下のポリオキシエチレンアルキルエーテル硫酸エステル又はその塩である、前記＜１＞〜＜６＞の何れかに記載の衣料用洗剤組成物。
【００４３】
＜８＞
（ｂ）成分が、炭素数が１０以上、２０以下のアルキル基を有するアルキルベンゼンスルホン酸又はその塩、炭素数１０以上、２０以下のアルケニル基を有するα−オレフィンスルホン酸又はその塩、炭素数１０以上、２０以下のアルキル基を有するアルカンスルホン酸又はその塩、炭素数１０以上、２０以下のアルキル基を有するα−スルホ脂肪酸メチルエステル又はその塩からなる群から選ばれる１種以上の陰イオン界面活性剤である、前記＜１＞〜＜７＞の何れかに記載の衣料用洗剤組成物。
【００４４】
＜９＞
（ｂ）成分が、アルキル基の炭素数が１０以上、好ましくは１２以上であり、そして、２０以下、好ましくは１４以下である直鎖アルキルベンゼンスルホン酸又はその塩から選ばれる陰イオン界面活性剤である、前記＜１＞〜＜８＞の何れかに記載の衣料用洗剤組成物。
【００４５】
＜１０＞
（ｃ）成分が、炭素数８以上、１８以下のアルキル基を有するスルホベタイン及び炭素数８以上、１８以下のアルキル基を有するカルボベタインからなる群から選ばれる１種以上の両性界面活性剤である、前記＜１＞〜＜９＞の何れかに記載の衣料用洗剤組成物。
【００４６】
＜１１＞
（ａ）成分、（ｂ）成分及び（ｃ）成分の含有量の合計が、０．１質量％以上、好ましくは３質量％以上、より好ましくは５質量％以上、より好ましくは１０質量％以上であり、そして、５０質量％以下、好ましくは４０質量％以下、より好ましくは３０質量％以下、より好ましくは２０質量％以下である、前記＜１＞〜＜１０＞の何れかに記載の衣料用洗剤組成物。
【００４７】
＜１２＞
更に、（ｄ）成分として、蔗糖脂肪酸エステル、グリセリン脂肪酸エステル、ソルビタン脂肪酸エステル、ポリオキシアルキレンソルビタン脂肪酸エステル、ポリオキシアルキレン脂肪酸エステル、脂肪酸アルカノールアミド又はそのアルキレンオキシド付加物、ポリオキシアルキレンアルキルエーテル、アルキルグリコシド、ポリオキシアルキレンアルキルフェニルエーテル、ポリオキシアルキレンアルキルエーテル又はグリセリルモノエーテルを含有する、前記＜１＞〜＜１１＞の何れかに記載の衣料用洗剤組成物。
【００４８】
＜１３＞
更に、（ｄ）成分として、アルキル基の炭素数が１０以上、２０以下であり、エチレンオキシ基の平均付加モル数が２以上、４０以下であるポリオキシアルキレンアルキルエーテルを含有する、前記＜１＞〜＜１２＞の何れかに記載の衣料用洗剤組成物。
【００４９】
＜１４＞
（ａ）成分、（ｂ）成分、（ｃ）成分及び（ｄ）成分の含有量の合計は０．１５量％以上、好ましくは３．５質量％以上、より好ましくは７質量％以上、より好ましくは１２質量％以上であり、そして、５５質量％以下、好ましくは４５質量％以下、より好ましくは３５質量％以下、より好ましくは２５質量％以下である、前記＜１＞〜＜１３＞の何れかに記載の衣料用洗剤組成物。
【００５０】
＜１５＞
手洗い洗濯用である、前記＜１＞〜＜１３＞の何れかに記載の衣料用洗剤組成物。
【００５１】
＜１６＞
水を含有する液体組成物である、前記＜１＞〜＜１５＞の何れかに記載の衣料用洗剤組成物。
【００５２】
＜１７＞
前記＜１＞〜＜１６＞の何れかに記載の衣料用洗剤組成物と水とを混合して得たｐＨ３以上、好ましくは３.５以上、より好ましくは４．０以上、そして、６．８未満、好ましくは６．５以下、より好ましくは６．０以下、より好ましくは５．５以下、より好ましくは５．０以下の洗浄水を用いて、食品由来の油汚れが付着した衣料を洗浄する、衣料の洗浄方法。
【００５３】
＜１８＞
洗浄後の衣料を水で濯ぐ工程を有する、前記＜１７＞に記載の衣料の洗浄方法。
【００５４】
＜１９＞
洗浄水の調製に用いる水及び／又はすすぎに用いる水のｐＨが、６．０以上、好ましくは６．５以上であり、そして、８．０以下、好ましくは７．５以下である、前記＜１７＞又は＜１８＞に記載の衣料の洗浄方法。
【００５５】
＜２０＞
洗浄水の調製に用いる水及び／又はすすぎに用いる水の硬度が、１°ｄＨ以上、更に２°ｄＨ以上、更に３°ｄＨ以上、更に５°ｄＨ以上、更に１０°ｄＨ以上である、前記＜１７＞〜＜１９＞の何れかに記載の衣料の洗浄方法。
【実施例】
【００５６】
下記の配合成分及び表１又は表２の成分を用いて、表１又は表２に示す衣料用液体洗剤組成物を調製し、下記の方法で評価を行った。結果を表１に示す。
【００５７】
［１］ｐＨの測定法
ｐＨメーター（ＨＯＲＩＢＡ製  ｐＨ／イオンメーター  Ｆ−２３）にｐＨ測定用複合電極（ＨＯＲＩＢＡ製  ガラス摺り合わせスリーブ型）を接続し、電源を投入した。ｐＨ電極内部液としては、飽和塩化カリウム水溶液（３．３３モル／Ｌ）を使用した。
【００５８】
次に、ｐＨ４．０１標準液（フタル酸塩標準液）、ｐＨ６．８６（中性リン酸塩標準液）、ｐＨ９．１８標準液（ホウ酸塩標準液）をそれぞれ１００ｍＬビーカーに充填し、２０℃の恒温槽に３０分間浸漬した。恒温に調整された標準液にｐＨ測定用電極を３分間浸し、ｐＨ６．８６→ｐＨ９．１８→ｐＨ４．０１の順に校正操作を行った。
【００５９】
洗剤組成物１ｇを水温２０℃の水１Ｌに溶解した濃度の試料又は洗剤組成物の原液を適量１００ｍＬビーカーに充填し、２０℃の恒温槽内にて２０℃に調整した。恒温に調整された前記試料又は洗剤組成物の原液にｐＨ測定用電極を３分間浸し、ｐＨを測定した。
【００６０】
［２］洗浄力の評価方法
硬度１０゜ｄＨ、ｐＨ６．８の水１Ｌに対して表１又は表２に示す洗剤組成物１ｇを溶解した後、下記の通り調製したラー油汚染布５枚を入れ、ターゴトメータを用いて１００回転／分の条件で２０℃（液温）、１０分間洗濯を行った。硬度１０゜ｄＨの水で、十分すすいだ後に乾燥させ、下記の式により洗浄率を測定した。洗浄及びすすぎに用いた水は、硬度成分としてカルシウム／マグネシウム＝６／４（モル比）にするために、塩化カルシウム・２水和物７８．５０ｇ及び塩化マグネシウム・６水和物７３．５８ｇを１Ｌのイオン交換水で溶解することによって得られた濃厚原液を、イオン交換水によって希釈し、１０゜ｄＨ、ｐＨ６．８に調整したものを用いた。結果を表１又は表２に示す。
洗浄率（％）＝［（洗浄後の反射率−洗浄前の反射率）／（白布の反射率−洗浄前の反射率）］×１００
反射率は日本電色工業（株）製ＮＤＲ−１０ＤＰで４６０ｎｍフィルターを使用して測定した。
【００６１】
［ラー油汚染布の調製］
市販のＳ＆Ｂラー油（エスビー食品（株）製、２０１３年６月購入）０．１ｍＬを６ｃｍ×６ｃｍの綿メリヤス布に均一に塗布し、温度２５℃、湿度６５ＲＨ％、１５時間乾燥させたものを試験に供した。
【００６２】
［３］配合成分
・ＡＥＳ−Ｎａ（１）：炭素数１０〜１６の直鎖１級アルキル基を有するポリオキシエチレン（平均付加モル数２）アルキルエーテル硫酸エステルナトリウム、エマール２７０Ｓ（花王（株）製）
・ＡＥＳ−Ｎａ（２）：炭素数１２の直鎖１級アルキル基を有するポリオキシエチレン（平均付加モル数３）アルキルエーテル硫酸エステルナトリウム、エマール２０Ｃ（花王（株）製）
・ＡＥＳ−Ｎａ（３）：炭素数１２の直鎖１級アルキル基を有するポリオキシエチレン（平均付加モル数１）アルキルエーテル硫酸エステルナトリウム、エマール１７０Ｓ（花王（株）製）
【００６３】
・ＬＡＳ−Ｎａ：ラウリルベンゼンスルホン酸ナトリウム、ネオペレックスＧ−１５（花王（株）製）
【００６４】
・ベタイン（１）：ｎ−ドデシルジメチルカルボキシメチルベタイン、アンヒトール２０ＢＳ（花王（株）製）
・ベタイン（２）：Ｎ−（２−ヒドロキシ−３−スルホナトプロピル）ドデシルジメチルアミニウム、アンヒトール２０ＨＤ（花王（株）製）
【００６５】
【表１】
2015124337.tif 000002
【００６６】
【表２】
2015124337.tif 000003
【００６７】
※１  洗剤組成物１ｇを水温２０℃の水１Ｌに溶解したときのｐＨ
※２  洗剤組成物の原液の２０℃でのｐＨ